(57)【要約】【課題】輪状ステータコアに対するステータ巻線の占積率を向上させたステータ構造を提供する。【解決手段】第１，第２，第３分割ステータコア８０ａ，８０ｂ，８０ｃからなる輪状ステータコア３０の外周を保持するケース２０と、第１，第２，第３分割ステータコア８０ａ，８０ｂ，８０ｃの内方に向けて突出する第１，第２，第３突出磁極４０ａ，４０ｂ，４０ｃと、互いに隣り合う前記第１，第２，第３分割ステータコア８０ａ，８０ｂ，８０ｃを接続する第１，第２，第３分割ヨーク５０ａ，５０ｂ，５０ｃとを有し、前記第１，第２，第３突出磁極４０ａ，４０ｂ，４０ｃを覆う第１，第２，第３絶縁キャップ６０ａ，６０ｂ，６０ｃを有する。前記輪状ステータコア３０は、前記ケース２０に接着剤により固定される。【選択図】図１
2020058143.tif 000002
【特許請求の範囲】
【請求項１】
平面で見てＴ字型を示す複数の分割ステータコア（８０）からなる輪状ステータコア（３０）と、
前記輪状ステータコア（３０）の外周を保持するケース（２０）と、
前記分割ステータコア（８０）の、内方に向けて突出する突出磁極（４０）と、
互いに隣り合う前記分割ステータコア（８０）を接続する分割ヨーク（５０）と、
前記突出磁極（４０）を覆う絶縁キャップ（６）と
を有するステータ構造であって、
前記輪状ステータコア（３０）は、前記ケース（２０）に接着剤により固定されることを特徴とするステータ構造。
【請求項２】
前記ケース（２０）又は前記分割ヨーク（５０）の少なくとも一方は、前記接着剤を収容する溝部（２２又は５２）を有することを特徴とする請求項１に記載のステータ構造。
【請求項３】
前記突出磁極（４１）と、前記分割ヨーク（５３）とは別体に形成されていることを特徴とする請求項１又は２に記載のステータ構造。
【請求項４】
周方向において隣り合う前記分割ヨーク（５５）の間に、前記分割ヨーク（５５）同士を接続するヨーク片（５６）を追加して有することを特徴とする請求項１〜３のいずれか一項に記載のステータ構造。
【発明の詳細な説明】
【技術分野】
【０００１】
本発明はステータ構造に関し、特に、分割コア構造を有するステータ構造に関する。
【背景技術】
【０００２】
従来のモータのステータ構造としては、例えば以下の特許文献１に記載されたステータ構造が知られている。すなわち、図１２に示す従来のステータ構造１はモータ等に用いられる２極３スロットのものであって、ケース２の内部に内方へ向けて突出した３個の突出磁極４と、突出磁極４同士を接続するヨーク５を有する輪状ステータコア３が設けられている。前記輪状ステータコア３は、分割構造を有さない一体コアである。前記各突出磁極４には、前記各突出磁極４を覆う絶縁キャップ６が設けられ、前記絶縁キャップ６の上からステータ巻線７が巻回されている。
【先行技術文献】
【特許文献】
【０００３】
【特許文献１】特開２０１８−３８１７５号公報
【発明の概要】
【発明が解決しようとする課題】
【０００４】
前記輪状ステータコア３は一体コアであるため、前記ステータ巻線７を巻回するときに前記突出磁極４の周辺空間、すなわち、スロットの広さの制約、すなわち、自動巻線機（図示せず）のニードルを通しにくいことから前記ステータ巻線７の巻回が難しい箇所が存在する。そのため、前記輪状ステータコア３に対する前記ステータ巻線７の巻線占積率が小さくなるという問題点があった。
【０００５】
この発明は、このような課題を解決するためになされたものであり、輪状ステータコアに対するステータ巻線の占積率を向上させたステータ構造を提供することを目的とする。
【課題を解決するための手段】
【０００６】
上記の課題を解決するために、この発明に係るステータ構造は平面で見てＴ字型を示す複数の分割ステータコアからなる輪状ステータコアと、前記輪状ステータコアの外周を保持するケースと、周方向に配置され前記輪状ステータコアを構成する複数の分割ステータコアとを備え、前記分割ステータコアの内方に向けて突出する突出磁極と、互いに隣り合う前記分割ステータコアを接続する分割ヨークとを有し、前記突出磁極を覆う絶縁キャップを有するステータ構造であって、前記輪状ステータコアは、前記ケースに接着剤により固定される。
【０００７】
前記ケース又は前記分割ヨークの少なくとも一方は、前記接着剤を収容する溝部を有してもよい。
前記突出磁極と、前記分割ヨークとは別体に形成されてもよい。
周方向において隣り合う前記分割ヨークの間に、前記分割ヨーク同士を接続するヨーク片を追加して有してもよい。
【発明の効果】
【０００８】
本発明に係るステータ構造によれば、前記輪状ステータコアと、前記輪状ステータコアを収容する前記ケースと、周方向に配置され前記輪状ステータコアを構成する複数の前記分割ステータコアとを備え、前記分割ステータコアは、前記分割ステータコアの内面に、前記輪状ステータコアの所定角度間隔毎に内方に向けて突出する前記突出磁極と、隣り合う前記突出磁極を接続する分割ヨークとを有し、前記突出磁極を覆う絶縁キャップを有するステータ構造であって、前記輪状ステータコアは、前記ケースに接着剤により固定されるため、輪状ステータコアに対するステータ巻線の占積率を向上させたステータ構造を提供することができる。
【図面の簡単な説明】
【０００９】
【図１】本発明の実施の形態１に係るステータ構造の概略図である。
【図２】図１に記載の第１，第２，第３分割ステータコアの概略図である。
【図３】本発明の実施の形態２に係るステータ構造の概略図である。
【図４】図３に記載の第１，第２，第３分割ステータコアの概略図である。
【図５】本発明の実施の形態３に係るステータ構造の概略図である。
【図６】図５に記載の第１，第２，第３分割ステータコアの概略図である。
【図７】図５に記載の第１，第２，第３突出磁極の概略図である。
【図８】図５に記載の第１，第２，第３分割ヨークの概略図である。
【図９】本発明の実施の形態４に係るステータ構造の概略図である。
【図１０】図９に記載の第１，第２，第３分割ステータコアの概略図である。
【図１１】図９に記載の第１，第２，第３ヨーク片の概略図である。
【図１２】従来のステータ構造の概略図である。
【発明を実施するための形態】
【００１０】
実施の形態１．
以下、この発明の実施の形態１に係るステータ構造を添付図面の図１〜図２に基づいて説明する。なお、従来例と同一又は同等部分には同一符号を付して説明する。
図１は、この発明の実施の形態１に係るステータ構造１０の概略図である。このステータ構造１０は、モータステータに用いられる。前記ステータ構造１０は輪状のケース２０と、ケース２０の内側に収容された輪状ステータコア３０を有している。すなわち前記ケース２０は、前記輪状ステータコア３０の外周を保持している。
【００１１】
前記輪状ステータコア３０は、複数の電磁鋼板を積層して平面で見てＴ字型を示すように形成された第１分割ステータコア８０ａと、第２分割ステータコア８０ｂと、第３分割ステータコア８０ｃとから構成されている。前記第１，第２，第３分割ステータコア８０ａ，８０ｂ，８０ｃは前記輪状ステータコア３０を周方向に１２０度間隔毎に３分割したセグメントステータコアであり、それぞれ同一の形状であって互いに隣接している。すなわち、前記輪状ステータコア３０は３個の前記第１，第２，第３分割ステータコア８０ａ，８０ｂ，８０ｃを周方向に接合して形成されている。
【００１２】
前記第１分割ステータコア８０ａは、前記輪状ステータコア３０の外周部を構成する第１分割ヨーク５０ａを有している。同じく、前記第２分割ステータコア８０ｂは、前記輪状ステータコア３０の外周部を構成する第２分割ヨーク５０ｂを有し、前記第３分割ステータコア８０ｃは、前記輪状ステータコア３０の外周部を構成する第３分割ヨーク５０ｃを有している。前記第１，第２，第３分割ヨーク５０ａ，５０ｂ，５０ｃは互いに接触しており、互いに隣り合う前記第１，第２，第３分割ステータコア８０ａ，８０ｂ，８０ｃを接続している。さらに、前記第１，第２，第３分割ステータコア８０ａ，８０ｂ，８０ｃは、前記ケース２０の内周部２１に塗布された接着剤により前記ケース２０に固定されている。前記ケース２０の前記内周部２１には、塗布された接着剤の余剰分を収容するための溝部２２が１２０度間隔毎に３個形成されている。
【００１３】
図２は各分割ステータコア８０ａ，８０ｂ，８０ｃの概略図である。図１及び図２に示すように、前記第１分割ステータコア８０ａは、前記第１分割ヨーク５０ａから前記輪状ステータコア３０の内方に向けて突出して形成された第１突出磁極４０ａを有している。同様に、前記第２分割ステータコア８０ｂは、前記第２分割ヨーク５０ｂから前記輪状ステータコア３０の内方に向けて突出して形成された第２突出磁極４０ｂを有し、前記第２分割ステータコア８０ｃは、前記第３分割ヨーク５０ｃから前記輪状ステータコア３０の内方に向けて突出して形成された第３突出磁極４０ｂを有している。前記第１，第２，第３突出磁極４０ａ，４０ｂ，４０ｃは前記第１，第２，第３分割ヨーク５０ａ，５０ｂ，５０ｃの周方向の中央に位置しているため、前記第１，第２，第３突出磁極４０ａ，４０ｂ，４０ｃは１２０度間隔毎に設けられている。前記第１突出磁極４０ａの先端には第１鍔部４３ａが形成され、前記第２突出磁極４０ｂの先端には第２鍔部４３ｂが形成され、前記第３突出磁極の先端には第３鍔部４３ｃが形成されている。すなわち、前記第１，第２，第３突出磁極４０ａ，４０ｂ，４０ｃは、前記第１，第２，第３分割ヨーク５０ａ，５０ｂ，５０ｃにより互いに磁気的に接続されている。
【００１４】
再び図１を参照して説明すると、前記第１突出磁極４０ａには前記第１突出磁極４０ａを覆う第１絶縁キャップ６０ａが被せられ、前記第１絶縁キャップ６０ａの上から第１ステータ巻線７０ａが巻回されている。また、前記第２突出磁極４０ｂには前記第２突出磁極４０ｂを覆う第２絶縁キャップ６０ｂが被せられ、前記第２絶縁キャップ６０ｂの上から第２ステータ巻線７０ｂが巻回されており、前記第３突出磁極４０ｃには前記第３突出磁極４０ｃを覆う第３絶縁キャップ６０ｃが被せられ、前記第３絶縁キャップ６０ｃの上から第３ステータ巻線７０ｃが巻回されている。前記第１，第２，第３ステータ巻線７０ａ，７０ｂ，７０ｃはそれぞれ図示しないモータ外部の駆動回路に接続されている。また、第１，第２，第３絶縁キャップ６０ａ，６０ｂ，６０ｃは樹脂等の絶縁体により形成されている。
【００１５】
前記ステータ構造１０を組み立てるときには、前記第１，第２，第３分割ステータコア８０ａ，８０ｂ，８０ｃの前記第１，第２，第３突出磁極４０ａ，４０ｂ，４０ｃに前記第１，第２，第３絶縁キャップ６０ａ，６０ｂ，６０ｃを被せ、前記第１，第２，第３絶縁キャップ６０ａ，６０ｂ，６０ｃの上から前記第１，第２，第３ステータ巻線７０ａ，７０ｂ，７０ｃを巻回する。そして、前記第１，第２，第３ステータ巻線７０ａ，７０ｂ，７０ｃを巻回した前記第１，第２，第３分割ステータコア８０ａ，８０ｂ，８０ｃを組み合わせて前記輪状ステータコア３０とし、前記内周部２１に接着剤を塗布した前記ケース２０に前記輪状ステータコア３０を圧入する。これにより、前記ステータ構造１０が組み立てられる。
【００１６】
このように、平面で見てＴ字型を示す複数の前記第１，第２，第３分割ステータコア８０ａ，８０ｂ，８０ｃと、前記輪状ステータコア３０と、前記輪状ステータコア３０の外周を保持する前記ケース２０と、前記第１，第２，第３分割ステータコア８０ａ，８０ｂ，８０ｃの内方に向けて突出する前記第１，第２，第３突出磁極４０ａ，４０ｂ，４０ｃと、互いに隣り合う前記第１，第２，第３分割ステータコア８０ａ，８０ｂ，８０ｃを接続する前記第１，第２，第３分割ヨーク５０ａ，５０ｂ，５０ｃとを有し、前記突出磁極４０ａ，４０ｂ，４０ｃを覆う前記第１，第２，第３絶縁キャップ６０ａ，６０ｂ，６０ｃを有するステータ構造であって、前記輪状ステータコア３０は、前記ケース２０に接着剤により固定されるため、輪状ステータコアを一体コアとする場合に対して前記第１，第２，第３ステータ巻線７０ａ，７０ｂ，７０ｃを第１，第２，第３突出磁極４０ａ，４０ｂ，４０ｃに巻回する作業が行いやすく、周囲のスペースが無駄にならないため、前記輪状ステータコア３０に対する前記第１，第２，第３ステータ巻線７０ａ，７０ｂ，７０ｃの巻線占積率が向上する。また、前記第１，第２，第３ステータ巻線７０ａ，７０ｂ，７０ｃの巻回精度が向上する。さらに、前記第１，第２，第３ステータ巻線７０ａ，７０ｂ，７０ｃの巻回に自動巻線機を導入することが可能となり、前記ステータ構造の製造の自動化に対応することが可能となる。
【００１７】
また、ステータコアを前記第１，第２，第３分割ステータコア８０ａ，８０ｂ，８０ｃとすることにより、前記輪状ステータコア３０を一体に形成する場合と比較して電磁鋼板をプレスする際に材料が無駄になる部分が減少するため、製造コストを低減することができる。
【００１８】
また、前記ケース２０の前記内周部２１には接着剤が塗布されているため、前記第１，第２，第３分割ステータコア８０ａ，８０ｂ，８０ｃが前記ケース２０から脱落する可能性を低減することができる。さらに、前記ケース２０に前記前記第１，第２，第３分割ステータコア８０ａ，８０ｂ，８０ｃを圧入するときに発生する前記第１，第２，第３分割ステータコア８０ａ，８０ｂ，８０ｃの切粉が接着剤に付着するため、切粉の飛散が抑制され、切粉が前記ステータ構造１０の構成に付着して汚染する可能性を低減することができる。
【００１９】
また、前記ケース２０は接着剤を収容する前記溝部２２を有するため、前記ケース２０に前記第１，第２，第３分割ステータコア８０ａ，８０ｂ，８０ｃを圧入するときに余剰の接着剤が前記溝部２２に収容され、余剰の接着剤が前記ステータ構造１０の構成に付着して汚染する可能性を低減することができる。
【００２０】
なお、この実施の形態１では前記ケース２０の前記内周部２１には、塗布された接着剤を収容するための前記溝部２２が１２０度間隔毎に３個形成されていたが、前記溝部２２の数は例えば４個等の任意の数としてもよいし、前記溝部２２は設けられていなくともよい。また、前記溝部２２の位置は前記内周部２１の任意の位置であってもよい。
【００２１】
実施の形態２．
次にこの発明の実施の形態２に係るステータ構造を説明する。尚、以下の実施の形態において、図１及び図２の参照符号と同一の符号は、同一または同様な構成要素であるので、その詳細な説明は省略する。
この実施の形態２に係るステータ構造は、実施の形態１に対して、前記第１，第２，第３分割ステータコアに前記溝部を形成したものである。
【００２２】
図３は、この発明の実施の形態２に係るステータ構造１０の概略図である。前記ステータ構造１０はケース２３を有している。前記ケース２３は実施の形態１の前記ケース２０と同じく輪状のケースであるが、その内周部２１には溝部が形成されていない。
【００２３】
図４は前記輪状ステータコア３０（図３参照）の前記第１，第２，第３分割ステータコア８０ａ，８０ｂ，８０ｃの概略図である。前記第１分割ヨーク５０ａには、外周面に第１溝部５２ａが形成されている。また、前記第２分割ヨーク５０ｂには外周面に第２溝部５２ｂが形成され、前記第３分割ヨーク５０ｃには外周面に第３溝部５２ｃが形成されている。前記第１，第２，第３溝部５２ａ，５２ｂ，５２ｃは、前記ケース２３と前記第１，第２，第３分割ステータコア８０ａ，８０ｂ，８０ｃとを接着するために前記ケース２３の前記内周部２１に塗布された接着剤のうち、余剰分を収容するために形成されている。前記第１，第２，第３溝部５２ａ，５２ｂ，５２ｃは、前記第１，第２，第３分割ヨーク５０ａ，５０ｂ，５０ｃの周方向の中央に位置しているため、前記第１，第２，第３溝部５２ａ，５２ｂ，５２ｃは前記ステータ構造１０において１２０度間隔毎に合計３個設けられている。その他の構成は実施の形態１と同じである。
【００２４】
このように、前記第１，第２，第３分割ヨーク５０ａ，５０ｂ，５０ｃは接着剤を収容する前記第１，第２，第３溝部５２ａ，５２ｂ，５２ｃを有するため、前記ケース２３に前記第１，第２，第３分割ステータコア８０ａ，８０ｂ，８０ｃを圧入するときに余剰の接着剤が前記前記第１，第２，第３溝部５２ａ，５２ｂ，５２ｃに収容され、接着剤が前記ステータ構造１０の構成に付着して汚染する可能性を低減することができる。
【００２５】
なお、この実施の形態２では前記第１，第２，第３分割ヨーク５０ａ，５０ｂ，５０ｃの周方向の中央に前記第１，第２，第３溝部５２ａ，５２ｂ，５２ｃが前記ステータ構造１０において合計３個設けられていたが、前記第１，第２，第３溝部５２ａ，５２ｂ，５２ｃは前記第１，第２，第３分割ヨーク５０ａ，５０ｂ，５０ｃの周方向の中央以外の位置に設けられていてもよい。また、前記第１，第２，第３分割ヨーク５０ａ，５０ｂ，５０ｃのそれぞれにおける前記第１，第２，第３溝部５２ａ，５２ｂ，５２ｃは例えば各２個等の任意の数量だけ設けられていてもよいし、全く設けられていなくともよい。また、前記第１，第２，第３分割ヨーク５０ａ，５０ｂ，５０ｃの前記第１，第２，第３溝部５２ａ，５２ｂ，５２ｃに加えて、前記ケース２３の前記内周部２１に接着剤を収容する溝部がさらに設けられてもよい。
【００２６】
実施の形態３．
次にこの発明の実施の形態３に係るステータ構造を説明する。
この実施の形態３に係るステータ構造は、実施の形態１に対して、分割ステータコアの分割ヨークを突出磁極とを別体に形成したものである。
図５は、実施の形態３に係るステータ構造１０を示す概略図である。前記輪状ステータコア３０は、第１分割ステータコア８２ａ、第２分割ステータコア８２ｂ及び第３分割ステータコア８３ｃを有している。前記第１，第２，第３分割ステータコア８２ａ，８２ｂ，８２ｃはそれぞれ同一の形状である。なお、図５においては前記第１，第２，第３分割ステータコア８２ａ，８２ｂ，８２ｃの構成を理解しやすくするために前記第１，第２，第３絶縁キャップ６０ａ，６０ｂ，６０ｃの記載を省略している。
【００２７】
図６は、前記第１，第２，第３分割ステータコア８２ａ，８２ｂ，８２ｃの概略図である。この実施の形態３では、図７に示す前記第１，第２，第３突出磁極４０ａ，４０ｂ，４０ｃと図８に示す前記第１，第２，第３分割ヨーク５０ａ，５０ｂ，５０ｃとが分割されている。すなわち、前記第１，第２，第３突出磁極４０ａ，４０ｂ，４０ｃと前記第１，第２，第３分割ヨーク５０ａ，５０ｂ，５０ｃとはあらかじめ別体に形成されている。前記輪状ステータコア３０を組み立てるときには、前記第１，第２，第３突出磁極４０ａ，４０ｂ，４０ｃに前記第１，第２，第３絶縁キャップ６０ａ，６０ｂ，６０ｃ（図１参照）を取り付け、その上から前記第１，第２，第３ステータ巻線７０ａ，７０ｂ，７０ｃ（図１参照）を巻回する。次に図６に示すように前記第１，第２，第３突出磁極４０ａ，４０ｂ，４０ｃを、前記第１，第２，第３分割ヨーク５０ａ，５０ｂ，５０ｃに接着剤又は溶接等により接合する。その他の構成は実施の形態１と同じである。
【００２８】
このように、前記第１，第２，第３分割ヨーク５０ａ，５０ｂ，５０ｃは、前記第１，第２，第３突出磁極４０ａ，４０ｂ，４０ｃと別体に形成されているため、前記第１，第２，第３突出磁極４０ａ，４０ｂ，４０ｃに前記第１，第２，第３ステータ巻線７０ａ，７０ｂ，７０ｃを巻回するときに、前記第１，第２，第３分割ヨーク５０ａ，５０ｂ，５０ｃが障害とならず、巻回作業を行いやすい。このために、前記第１，第２，第３分割ヨーク５０ａ，５０ｂ，５０ｃと前記第１，第２，第３突出磁極４０ａ，４０ｂ，４０ｃとが一体形成されている場合よりも、前記輪状ステータコア３０に対する前記第１，第２，第３ステータ巻線７０ａ，７０ｂ，７０ｃの巻線占積率が向上する。また、前記第１，第２，第３分割ヨーク５０ａ，５０ｂ，５０ｃと前記第１，第２，第３突出磁極４０ａ，４０ｂ，４０ｃとが一体形成されている場合よりも電磁鋼板をプレスする際に材料が無駄になる部分が減少するため、製造コストを低減することができる。さらに、前記第１，第２，第３ステータ巻線７０ａ，７０ｂ，７０ｃを巻回するときの作業スペースがより広くなり、前記第１，第２，第３ステータ巻線７０ａ，７０ｂ，７０ｃの巻回精度が向上する。さらにまた、前記第１，第２，第３ステータ巻線７０ａ，７０ｂ，７０ｃの巻回に自動巻線機を導入することが可能となり、前記ステータ構造の製造の自動化に対応することが可能となる。
【００２９】
実施の形態４．
次にこの発明の実施の形態４に係るステータ構造を説明する。
この実施の形態４に係るステータ構造は、実施の形態１に対して、分割ステータコアの分割ヨークをさらに分割したものである。
図９に実施の形態４に係るステータ構造１０の概略図を示す。前記輪状ステータコア３０は第１分割ステータコア８３ａ、第２分割ステータコア８３ｂ、第３分割ステータコア８３ｃを有している。前記第１分割ステータコア８３ａは第１分割ヨーク５５ａを有している。また、前記第２分割ステータコア８３ｂは第２分割ヨーク５５ｂを有し、前記第３分割ステータコア８３ｃ第３分割ヨーク５５ｃを有している。図１０に示すように、第１，第２，第３分割ステータコア８３ａ，８３ｂ，８３ｃはそれぞれ同一の形状である。
【００３０】
再び図９を参照すると、前記第１分割ヨーク５５ａと前記第２分割ヨーク５５ｂとの間には、第１ヨーク片５６ａが前記第１分割ヨーク５５ａ及び前記第２分割ヨーク５５ｂに接触するように設けられている。また、前記第２分割ヨーク５５ｂと前記第３分割ヨーク５５ｃとの間には、第２ヨーク片５６ｂが前記第２分割ヨーク５５ｂ及び前記第３分割ヨーク５５ｃに接触するように設けられている。さらに、前記第３分割ヨーク５５ｃと前記第１分割ヨーク５５ａとの間には、第３ヨーク片５６ｃが前記第３分割ヨーク５５ｃ及び前記第１分割ヨーク５５ａに接触するように設けられている。すなわち、前記輪状ステータコア３３は、前記第１，第２，第３分割ステータコア８３ａ，８３ｂ，８３ｃと、前記第１，第２，第３ヨーク片５６ａ，５６ｂ，５６ｃとに分割されている。
【００３１】
図９及び図１１に示すように、前記第１，第２，第３ヨーク片５６ａ，５６ｂ，５６ｃはそれぞれ同一の形状であり、前記第１，第２，第３分割ヨーク５５ａ，５５ｂ，５５ｃに対して周方向において同じ長さを有している。その他の構成は実施の形態１と同じである。
【００３２】
このように、周方向において隣り合う前記第１，第２，第３分割ヨーク５５ａ，５５ｂ，５５の間に、前記第１，第２，第３分割ヨーク５５ａ，５５ｂ，５５ｃ同士を接続する前記第１，第２，第３ヨーク片５６ａ，５６ｂ，５６ｃを追加して有するため、前記輪状ステータコア３０をさらに小型の部分に分割することが可能となり、前記第１，第２，第３分割ステータコア８３ａ，８３ｂ，８３ｃと、前記第１，第２，第３ヨーク片５６ａ，５６ｂ，５６ｃとを構成する電磁鋼板をプレスするときの無駄部分を少なくして製造コストを低減することができる。
【００３３】
なお、実施の形態１〜３においては、前記輪状ステータコア３０は２極３スロットのステータコアであり、３個ずつの分割ステータコアに分割されていたが、前記輪状ステータコア３０はこれ以外の任意の数の分割ステータコアに分割されていてもよい。輪状ステータコアが任意の数の分割ステータコアに分割されることで、同じ直径の輪状ステータコアであって、任意の数の突出磁極を有する輪状ステータコアを容易に作成可能であるため、ケース等の部品構成を共通として突出磁極の数（スロットの数）の異なるモータを容易に作成することができ、製造コストを低減することができる。
【００３４】
また、実施の形態１及び２の前記第１，第２，第３分割ステータコア８０ａ，８０ｂ，８０ｃは同じ大きさであったが、異なる大きさであってもよい。同様に、実施の形態３の前記第１，第２，第３分割ステータコア８２ａ，８２ｂ，８２ｃは同じ大きさであったが異なる大きさであってもよい。各分割ステータコアの大きさを異なる大きさとすることで、輪状ステータコアの形状設計の自由度を向上することができる。
【００３５】
また、実施の形態４においては、前記輪状ステータコア３３は２極３スロットのステータコアであり、前記輪状ステータコア３３の前記第１，第２，第３分割ステータコア８３ａ，８３ｂ，８３ｃの３個の分割ステータコアと、前記第１，第２，第３ヨーク片５６ａ，５６ｂ，５６ｃの３個のヨーク片に分割されていたが、これ以外の任意の数の分割ステータコア及びヨーク片に分割されていてもよい。輪状ステータコアが任意の数の分割ステータコア及びヨーク片に分割されていることで、同じ直径の輪状ステータコアであって、任意の数の突出磁極を有する輪状ステータコアを容易に作成可能であり、製造コストを低減することができる。また、前記第１，第２，第３ヨーク片５６ａ，５６ｂ，５６ｃはそれぞれ同一の形状であったが、それぞれ異なる形状であってもよい。さらに、前記第１，第２，第３ヨーク片５６ａ，５６ｂ，５６ｃは、前記第１，第２，第３分割ヨーク５５ａ，５５ｂ，５５ｃに対して周方向において同じ長さを有していたが、異なる長さを有していてもよい。これにより、前記輪状ステータコア３３の形状設計の自由度を向上することができる。
【００３６】
また、実施の形態１の前記第１，第２，第３突出磁極４０ａ，４０ｂ，４０ｃは前記第１，第２，第３分割ヨーク５０ａ，５０ｂ，５０ｃの周方向の中央に設けられていたが、周方向の左右に寄って設けられていてもよい。また、実施の形態２の前記第１，第２，第３突出磁極４０ａ，４０ｂ，４０ｃは、前記第１，第２，第３分割ヨーク５０ａ，５０ｂ，５０ｃの周方向の中央に設けられ、実施の形態３の前記第１，第２，第３突出磁極４１ａ，４１ｂ，４１ｃは、前記第１，第２，第３分割ヨーク５０ａ，５０ｂ，５０ｃの周方向の中央に設けられ、実施の形態４の前記第１，第２，第３突出磁極４０ａ，４０ｂ，４０ｃは、前記第１，第２，第３分割ヨーク５５ａ，５５ｂ，５５ｃの周方向の中央に設けられていたが、周方向の左右に寄って設けられていてもよい。
【００３７】
また、実施の形態１〜４の前記ステータ構造１０，１１，１２，１３はモータステータに用いるものであったが、モータ以外の装置のステータに用いてもよい。
【００３８】
なお、本発明によるステータ構造は、以下の通りである。すなわち平面で見てＴ字型を示す前記第１，第２，第３分割ステータコア８０ａ，８０ｂ，８０ｃからなる前記輪状ステータコア３０と、前記輪状ステータコア３０の外周を保持する前記ケース２０と、前記第１，第２，第３分割ステータコア８０ａ，８０ｂ，８０ｃの内方に向けて突出する前記第１，第２，第３突出磁極４０ａ，４０ｂ，４０ｃと、互いに隣り合う前記第１，第２，第３突出磁極４０ａ，４０ｂ，４０ｃを接続する前記第１，第２，第３分割ステータコア８０ａ，８０ｂ，８０ｃと、前記前記突出磁極４０ａ，４０ｂ，４０ｃを覆う前記第１，第２，第３絶縁キャップ６０ａ，６０ｂ，６０ｃとを有するステータ構造であって、前記輪状ステータコア３０は、前記ケース２０に接着剤により固定される構成であり、また、前記ケース２０又は前記第１，第２，第３分割ヨーク５０ａ，５０ｂ，５０ｃの少なくとも一方は、前記接着剤を収容する前記溝部２２又は前記第１，第２，第３溝部５２ａ，５２ｂ，５２ｃを有し、また、前記第１，第２，第３突出磁極４１ａ，４１ｂ，４１ｃと、前記第１，第２，第３分割ヨーク５０ａ，５０ｂ，５０ｃとは別体に形成されており、周方向において隣り合う前記第１，第２，第３分割ヨーク５５ａ，５５ｂ，５５ｃの間に、前記第１，第２，第３分割ヨーク５５ａ，５５ｂ，５５ｃ同士を接続する前記第１，第２，第３ヨーク片５６ａ，５６ｂ，５６ｃを追加して有する構成である。
【産業上の利用可能性】
【００３９】
本発明によるステータ構造は、平面で見てＴ字型を示す複数の分割ステータコアからなる輪状ステータコアと、輪状ステータコアの外周を保持するケースと、分割ステータコアの内方に向けて突出する突出磁極と、隣り合う突出磁極を接続する分割ヨークとを有し、突出磁極を覆う絶縁キャップを有するステータ構造であって、輪状ステータコアは、ケースに接着剤により固定されるため、輪状ステータコアに対するステータ巻線の巻線占積率が向上する。
【符号の説明】
【００４０】
２０，２３                      ケース
２２                            溝部
３０                            輪状ステータコア
４０ａ，４０ｂ，４０ｃ          第１，第２，第３突出磁極
５０ａ，５０ｂ，５０ｃ          第１，第２，第３分割ヨーク
５２ａ，５２ｂ，５２ｃ          第１，第２，第３溝部
５３ａ，５３ｂ，５３ｃ          第１，第２，第３分割ヨーク
５５ａ，５５ｂ，５５ｃ          第１，第２，第３分割ヨーク
５６ａ，５６ｂ，５６ｃ          第１，第２，第３ヨーク片
６０ａ，６０ｂ，６０ｃ          絶縁キャップ
８０ａ，８０ｂ，８０ｃ          第１，第２，第３分割ステータコア
【図１】
2020058143.tif 000003
【図２】
2020058143.tif 000004
【図３】
2020058143.tif 000005
【図４】
2020058143.tif 000006
【図５】
2020058143.tif 000007
【図６】
2020058143.tif 000008
【図７】
2020058143.tif 000009
【図８】
2020058143.tif 000010
【図９】
2020058143.tif 000011
【図１０】
2020058143.tif 000012
【図１１】
2020058143.tif 000013
【図１２】
2020058143.tif 000014